(57)【要約】【課題】狭い場所や間隔が狭く配置された石材等の重量物を１人の作業者で容易に持上げる。【解決手段】重量物持上げ治具１は、鋼材からなる１対の持上げアーム２が複数の連結部材３により、一定間隔をおいて平行に連結されている。各持上げアーム２は、アーム本体４の一方の端部に、アーム本体４に対してほぼ９０度の角度で設けられたフォーク５を有し、他方の端部に、アーム本体４に対してフォーク５とは反対側にほぼ９０度の角度で設けられ保持部６を有し、持上げアーム２がほぼＳ字形状に形成されている。この重量物持上げ治具１は、フォーク５と保持部６がアーム本体４に対してほぼ９０度の角度で反対側に曲がっているから、持上げる石材７と他の石材等との間隔が狭くても、フォーク５の先端を、地面８と持上げる石材７の下端部の間に容易に差し込むことができるとともに、アーム本体５を地面に対してほぼ垂直に配置することができる。【選択図】  図２
2005170548.tif 000002
【特許請求の範囲】
【請求項１】
鋼材からなるアーム本体の一方の端部にフォークを有し、他方の端部に保持部を有し、前記フォークは、前記アーム本体に対してほぼ９０度の角度で設けられ、前記保持部は、前記アーム本体に対してフォークとは反対側にほぼ９０度の角度で設けられ、ほぼＳ字形状に形成されていることを特徴とする重量物持上げ治具。
【請求項２】
鋼材からなる１対の持上げアームが複数の連結部材により、一定間隔をおいて平行に連結され、前記各持上げアームは、アーム本体の一方の端部にフォークを有し、他方の端部に保持部を有し、前記フォークは、前記アーム本体に対してほぼ９０度の角度で設けられ、前記保持部は、前記アーム本体に対してフォークとは反対側にほぼ９０度の角度で設けられ、前記各持上げアームはほぼＳ字形状に形成されていることを特徴とする重量物持上げ治具。
【発明の詳細な説明】
【技術分野】
【０００１】
この発明は、石材等の重量物を移動するために持ち上げる持上げ治具、特に狭い場所における持上げの容易化に関するものである。
【背景技術】
【０００２】
例えば石材等の重量物を持上げて移動するためにはフォークリフト等の大型の装置が使用されている。また、このような大型の装置を使用できない作業環境では、図４に示すように、直線状の鋼棒で形成されたバール１１の先端部を例えば石材７の下に差し込み、バール１１の他端部を作業者が保持して力Ｆを加え、支点部材９を中心に回転させて梃子として使用し、石材７の一方の端部を持ち上げて移動したり、複数の作業者が石材７を持上げて移動するようにしている。
【０００３】
このように鋼棒で形成されたバール１１を梃子として使用する場合、バール１１の支点から作業者が力Ｆを加える保持位置までの距離を、支点から石材７を保持する先端部までの距離よりはるかに大きくすることにより、小さな力Ｆで石材を持上げることができる。この石材７を持上げるとき、直線状のバール１１の先端を石材７の下部に差し込むため、バール１１を水平に近い角度にして差し込む必要がある。また、石材７を持上げるためにバール１１を下方に回転すると、バール１１はより水平に近い角度まで回転するため、持上げる石材７が隣接する石材や他の部材から十分に離れている場合は、バール１１で石材７を持上げられるが、持上げる石材７と隣接する石材や他の部材との間隔が狭い場合は、バール１１により石材７を持上げることができず、複数の作業者が石材７を持上げざるを得なかった。
【０００４】
このように狭い場所で石材等の重量物を複数の作業者で持上げると、作業が容易でないとともに怪我をするなどの危険性があった。
【発明の開示】
【発明が解決しようとする課題】
【０００５】
この発明はかかる短所を改善し、狭い場所や間隔が狭く配置された石材等の重量物を１人の作業者で容易に持上げることができる重量物持上げ治具を提供することを目的とするものである。
【課題を解決するための手段】
【０００６】
この発明の重量物持上げ治具は、  鋼材からなるアーム本体の一方の端部にフォークを有し、他方の端部に保持部を有し、前記フォークは、前記アーム本体に対してほぼ９０度の角度で設けられ、前記保持部は、前記アーム本体に対してフォークとは反対側にほぼ９０度の角度で設けられ、ほぼＳ字形状に形成されていることを特徴とする。
【０００７】
この発明の他の重量物持上げ治具は、鋼材からなる１対の持上げアームが複数の連結部材により、一定間隔をおいて平行に連結され、前記各持上げアームは、アーム本体の一方の端部にフォークを有し、他方の端部に保持部を有し、前記フォークは、前記アーム本体に対してほぼ９０度の角度で設けられ、前記保持部は、前記アーム本体に対してフォークとは反対側にほぼ９０度の角度で設けられ、前記各持上げアームはほぼＳ字形状に形成されていることを特徴とする。
【発明の効果】
【０００８】
この発明の重量物持上げ治具は、フォークと保持部がアーム本体に対してほぼ９０度の角度で反対側に曲がっているから、持上げる石材等の重量物と他の重量物との間隔が狭くても、フォークの先端を、地面と持上げる石材の下端部の間に容易に差し込むことができるとともに、アーム本体を地面に対してほぼ垂直に配置することができる。
【０００９】
また、重量物を持上げるとき、初期位置ではアーム本体がほぼ地面に対して垂直に配置されているから、重量物持上げ治具を回転して重量物を所定に位置まで持上げたとき、アーム本体の、地面に対して垂直方向に対する角度を小さくすることができ、持上げる重量物と他の重量物や部材との間隔が狭くても重量物を確実に持上げることができる。
【発明を実施するための最良の形態】
【００１０】
図１はこの発明の重量物持上げ治具の構成を示す斜視図である。図に示すように、重量物持上げ治具１は、鋼材からなる１対の持上げアーム２が複数の連結部材３により、一定間隔をおいて平行に連結されている。各持上げアーム２は、アーム本体４の一方の端部にフォーク５を有し、他方の端部に保持部６を有する。フォーク５はアーム本体４に対してほぼ９０度の角度で設けられ、保持部６はアーム本体４に対してフォーク５とは反対側にほぼ９０度の角度で設けられ、持上げアーム２がほぼＳ字形状に形成されている。
【００１１】
この重量物持上げ治具１で、例えば地上に載置された重量物である石材７を持上げるときは、図２（ａ）に示すように、地面８と持上げる石材７の一方の下端部の間に重量物持上げ治具１の各アーム２先端に設けたフォーク５の先端部を差込み、各アーム２の持上げる石材７と反対側の地面８に剛性を有する支点部材９を配置する。このフォーク５の先端を、地面８と持上げる石材７の一方の下端部の間に差し込むとき、フォーク５と保持部６がアーム本体４に対してほぼ９０度の角度で反対側に曲がっているから、図２（ａ）に示すように、持上げる石材７と他の石材７との間隔が狭くても、フォーク５の先端を、地面８と持上げる石材７の下端部の間に容易に差し込むことができるとともに、アーム本体４を地面８に対してほぼ垂直に配置することができる。
【００１２】
この状態で、図２（ｂ）に示すように、重量物持上げ治具１の各アーム２の保持部６を保持して、重量物持上げ治具１を支点部材９を中心にして保持部６を下側に回転する。保持部６を下側に回転すると、梃子の作用により、石材７の一方の端部が持ち上がる。この石材７を持上げるとき、初期位置ではアーム本体４がほぼ地面に対して垂直に配置されているから、重量物持上げ治具１を回転して石材７を所定に位置まで持上げたとき、アーム本体４の、地面８に対して垂直方向に対する角度を小さくすることができ、持上げる石材７ａと他の石材７との間隔が狭くても石材７を確実に持上げることができる。したがって１人の作業者が重量物持上げ治具１を操作することにより、石材７を容易に持上げることができる。
【００１３】
前記説明では、重量物持上げ治具１に１対のアーム２を設けた場合について説明したが、大きさが小さい石材７を持上げるときは、１本のアーム２を有する重量物持上げ治具１を使用しても良い。そこで、図３に示すように、１対のアーム２と複数の連結部材３をボルト１０により着脱自在にすると良い。
【図面の簡単な説明】
【００１４】
【図１】重量物持上げ治具の構成を示す斜視図である。
【図２】重量物持上げ治具による持上げ作業を示す側面図である。
【図３】重量物持上げ治具の他の構成を示す斜視図である。
【図４】バールによる持上げ上体を示す側面図である。
【符号の説明】
【００１５】
１；重量物持上げ治具、２；アーム、３；連結部材、４；アーム本体、５；フォーク、
６；保持部、７；石材、８；地面、９；支点部材、１０；ボルト。
【図１】
2005170548.tif 000003
【図２】
2005170548.tif 000004
【図３】
2005170548.tif 000005
【図４】
2005170548.tif 000006
【手続補正書】
【提出日】平成16年2月16日(2004.2.16)
【手続補正１】
【補正対象書類名】特許請求の範囲
【補正対象項目名】全文
【補正方法】変更
【補正の内容】
【特許請求の範囲】
【請求項１】
鋼材からなる１対の持上げアームが着脱自在な複数の連結部材により、一定間隔をおいて平行に連結され、前記各持上げアームは、アーム本体の一方の端部にフォークを有し、他方の端部に保持部を有し、前記フォークは、前記アーム本体に対してほぼ９０度の角度で設けられ、前記保持部は、前記アーム本体に対してフォークとは反対側にほぼ９０度の角度で設けられ、前記各持上げアームはほぼＳ字形状に形成されていることを特徴とする重量物持上げ治具。
【手続補正２】
【補正対象書類名】明細書
【補正対象項目名】０００６
【補正方法】変更
【補正の内容】
【０００６】
この発明の重量物持上げ治具は、鋼材からなる１対の持上げアームが着脱自在な複数の連結部材により、一定間隔をおいて平行に連結され、前記各持上げアームは、アーム本体の一方の端部にフォークを有し、他方の端部に保持部を有し、前記フォークは、前記アーム本体に対してほぼ９０度の角度で設けられ、前記保持部は、前記アーム本体に対してフォークとは反対側にほぼ９０度の角度で設けられ、前記各持上げアームはほぼＳ字形状に形成されていることを特徴とする。
【手続補正３】
【補正対象書類名】明細書
【補正対象項目名】０００７
【補正方法】削除
【補正の内容】
【手続補正書】
【提出日】平成16年7月21日(2004.7.21)
【手続補正１】
【補正対象書類名】特許請求の範囲
【補正対象項目名】全文
【補正方法】変更
【補正の内容】
【特許請求の範囲】
【請求項１】
アーム本体の一方の端部にフォークを有し、他方の端部に保持部を有し、前記フォークは、前記アーム本体に対してほぼ９０度の角度で設けられ、前記保持部は、前記アーム本体に対してフォークとは反対側にほぼ９０度の角度で設けられ、ほぼＳ字形状に形成されている鋼材からなる持上げアームを有し、間隔が狭く配置された大きさが大きい重量物を持上げるとき、前記持上げアームを着脱自在な複数の連結部材により一定間隔をおいて平行に連結し、間隔が狭く配置された大きさが小さい重量物を持上げるとき、前記連結部材による持上げアームの連結を解除することを特徴とする重量物持上げ治具。
【手続補正２】
【補正対象書類名】明細書
【補正対象項目名】０００６
【補正方法】変更
【補正の内容】
【０００６】
この発明の重量物持上げ治具は、アーム本体の一方の端部にフォークを有し、他方の端部に保持部を有し、前記フォークは、前記アーム本体に対してほぼ９０度の角度で設けられ、前記保持部は、前記アーム本体に対してフォークとは反対側にほぼ９０度の角度で設けられ、ほぼＳ字形状に形成されている鋼材からなる持上げアームを有し、間隔が狭く配置された大きさが大きい重量物を持上げるとき、前記持上げアームを着脱自在な複数の連結部材により一定間隔をおいて平行に連結し、間隔が狭く配置された大きさが小さい重量物を持上げるとき、前記連結部材による持上げアームの連結を解除することを特徴とする。